(57)【要約】      （修正有）【課題】水槽に設置するにあたり、コストや手間を削減するフィルター装置を提供する。【解決手段】フィルター装置１００は、水槽外からエアーが流入するエアー流入部１１０と、水槽内に設けられ、エアー流入部１１０から流入したエアーによって水槽内を循環した水をろ過するスポンジフィルター部１２０と、水槽の底面に設けられ、エアー流入部１１０から流入したエアーによって水槽内を循環した水をろ過する底面フィルター部１３０と、スポンジフィルター部１２０を通過した水及び底面フィルター部１３０を通過した水を、水槽内に循環させる水循環部１４０とを備える。１つのフィルター装置１００を設置するだけで、従来のスポンジフィルター装置と底面フィルター装置の両方を設置したのと同様の効果を得ることができ、水槽にフィルター装置を設置するにあたり、コストや手間を削減することが可能である。【選択図】図１
0003194426.tif 000002
【実用新案登録請求の範囲】
【請求項１】
水槽内に設けられ、水槽内を循環した水をろ過するスポンジフィルター部と、
前記水槽の底面に設けられ、水槽内を循環した水をろ過する底面フィルター部と、
前記スポンジフィルター部でろ過された水及び前記底面フィルター部でろ過された水を、前記水槽内に循環させる水循環部と、
を備えたことを特徴とする、フィルター装置。
【請求項２】
前記スポンジフィルター部と前記水循環部とを接続する接続部を備え、
前記水循環部と前記接続部とが接続される部分において、前記水循環部を流れる水の向きと、前記接続部を流れる水の向きとが、鋭角をなすことを特徴とする、請求項１に記載のフィルター装置。
【考案の詳細な説明】
【技術分野】
【０００１】
本考案は、水槽に設置されて水槽内の水を清浄するフィルター装置に関する。
【背景技術】
【０００２】
水槽内の水を清浄するために、フィルター装置が設置される。フィルター装置には様々なタイプのものがあるが、基本的には、水を循環させる機能とフィルターを備え、水槽内の水を循環させて、フィルターでろ過を行う。水を循環させる機能としては、エアーポンプでエアーを流入するタイプのものや、モーターで水を吸い上げるタイプのものなどがある。
【０００３】
従来、図３に示したように、水中に設置されるスポンジフィルター装置２２０と、水槽の底面に設置される底面フィルター装置２３０とをそれぞれ設置していた（非特許文献１、２参照）。なおここでは、従来のフィルター装置として、エアーポンプでエアーを流入するタイプのものを例に挙げる。スポンジフィルター装置２２０は、図３に示したように、エアーが流入されるエアー流入部２１０−１と、水を循環させる水循環部２４０−１とを備える。底面フィルター装置２３０も、スポンジフィルター装置２２０とは別に、エアー流入部２１０−２と水循環部２４０−２を備えていた。
【先行技術文献】
【非特許文献】
【０００４】
【非特許文献１】インターネット＜ＵＲＬ：http://store.shopping.yahoo.co.jp/chanet/62785.html＞
【非特許文献２】インターネット＜ＵＲＬ：http://store.shopping.yahoo.co.jp/chanet/12370.html＞
【考案の概要】
【考案が解決しようとする課題】
【０００５】
しかし、水中のスポンジフィルター装置と、水槽底面の底面フィルター装置とをそれぞれ設置するのでは、装置自体のコストや設置のためのコストが多大になる。また、スポンジフィルター装置と底面フィルター装置をメンテナンスする手間やそのコストが多大になるという問題点があった。
【０００６】
そこで本考案は、このような問題に鑑みてなされたもので、その目的とするところは、水槽にフィルター装置を設置するにあたり、コストや手間を削減することの可能な、新規かつ改良されたフィルター装置を提供することにある。
【課題を解決するための手段】
【０００７】
上記課題を解決するために、本考案によれば、水槽内に設けられ、水槽内を循環した水をろ過するスポンジフィルター部と、前記水槽の底面に設けられ、水槽内を循環した水をろ過する底面フィルター部と、前記スポンジフィルター部でろ過された水及び前記底面フィルター部でろ過された水を、前記水槽内に循環させる水循環部と、を備えたことを特徴とする、フィルター装置が提供される。なお、水循環部としては、エアーポンプでエアーを流入するタイプのものや、モーターで水を吸い上げるタイプのものなどがある。
【０００８】
本考案によれば、１つのフィルター装置に、スポンジフィルター部と底面フィルター部を備え、両フィルターに共通の水循環部を備えた。このようにして、１つのフィルター装置を設置するだけで、従来のスポンジフィルター装置と底面フィルター装置の両方を設置したのと同様の効果を得ることができる。このようにして、水槽にフィルター装置を設置するにあたり、コストや手間を削減することが可能である。
【０００９】
本考案においては、さまざまな応用が可能である。例えば、前記スポンジフィルター部と前記水循環部とを接続する接続部を備え、前記水循環部と前記接続部とが接続される部分において、前記水循環部を流れる水の向きと、前記接続部を流れる水の向きとが、鋭角をなすようにしてもよい。かかる構成によれば、水循環部を流通する水が、スポンジフィルター部のフィルターの方へ逆流することを防止することができ、スポンジフィルター部の機能を阻害しない。
【考案の効果】
【００１０】
本考案によれば、水槽にフィルター装置を設置するにあたり、コストや手間を削減することが可能である。なお、本考案のその他の効果や応用例については、さらに後述する。
【図面の簡単な説明】
【００１１】
【図１】本考案の一実施形態にかかるフィルター装置を示す図である。
【図２】スポンジフィルター部と水循環部とを接続する接続部を拡大して示す図である。
【図３】従来のフィルター装置を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
本考案の一実施形態にかかるフィルター装置について、図１、図２を参照しながら説明する。図１は、本実施形態にかかるフィルター装置を示す図である。図２は、スポンジフィルター部と水循環部とを接続する接続部を拡大して示す図である。
【００１４】
フィルター装置１００は、図１に示したように、水槽外からエアーが流入するエアー流入部１１０と、水槽内に設けられ、エアー流入部１１０から流入したエアーによって水槽内を循環した水をろ過するスポンジフィルター部１２０と、水槽の底面に設けられ、エアー流入部１１０から流入したエアーによって水槽内を循環した水をろ過する底面フィルター部１３０と、スポンジフィルター部１２０を通過した水及び底面フィルター部１３０を通過した水を、水槽内に循環させる水循環部１４０と、を備える。
【００１５】
以下、フィルター装置１００の構成要素を順に説明する。なお、フィルター装置１００の構成要素には、従来のフィルター装置の構成要素やその一部などを利用することができるものもある。当業者であれば、フィルター装置１００の各構成要素の材質や加工方法については公知であり、以下の説明によって、本実施形態にかかるフィルター装置１００を製造し、使用することができる。フィルター装置１００の構成要素の材質や加工方法などについては、詳細な説明を省略する。
【００１６】
（エアー流入部１１０）
エアー流入部１１０は、水の循環（水の腐敗防止）や水中に酸素を溶け込ませる（生態用）ためのものであり、図１に示したように、水槽外からエアーが送り込まれる。エアーは、水槽外に設置されるエアーポンプ（図示せず）から送り込まれる。エアー流入部１１０の他の端部には、エアーストーン１１２が設けられる。エアーストーン１１２から発生した気泡は、後述する水循環部１４０の管内を上昇する。このようにして、図１に示したように、水槽内に水の流れが形成される。
【００１７】
（スポンジフィルター部１２０）
スポンジフィルター部１２０は、水槽内の水をろ過して浄化するものである。図２は、スポンジフィルター部１２０と水循環部１４０とを接続する接続部１２２を拡大して示す図である。スポンジフィルター部１２０は、図１、図２に示したように、後述する水循環部１４０と接続される接続部１２２と、２つのフィルター１２４とを含む。上述した水の流れによって、水槽内の水がフィルター１２４を通過する。このようにして、水槽内の水が浄化される。なお、図１及び図２に示した例では、フィルター１２４の数は２つであるが、フィルター１２４の数は１つでもよく、３つ以上であってもよい。
【００１８】
接続部１２２は、図２に示したように、スポンジフィルター部１２０と水循環部１４０とを接続する。そして、水循環部１４０と接続部１２２とが接続される部分において、水循環部１４０を流れる水の向き（水槽の上向き）と、接続部１２２を流れる水の向き（水槽の左上向き又は右上向き）とがなす角θが、４５°程度の鋭角をなす。かかる構成によれば、エアー流入部１１０から流入され水循環部１４０を流通する気泡が、フィルター１２４の方へ逆流することを防止することができ、フィルター１２４の機能を阻害しない。なお、水循環部１４０を流れる水の向きと、接続部１２２を流れる水の向きとがなす角θは、鋭角であれば角度は任意である。
【００１９】
（底面フィルター部１３０）
底面フィルター部１３０は、水槽内の水をろ過して浄化するものであり、図１に示したように、水槽の底面に設けられたろ材（砂・ソイル等）１３２のさらに下部に設けられる。上述のように形成された水の流れによって、水槽内の水が、ろ材１３２及び底面フィルター部１３０を介して、水循環部１４０に循環される。
【００２０】
（水循環部１４０）
水循環部１４０は、図１に示したように、上記各構成要素と接続されており、上述したように形成された水の流れを、再び水槽内に循環させる。水循環部１４０は、上述したように、接続部１２２を介してスポンジフィルター部１２０と接続されており、水循環部１４０を循環する水がスポンジフィルター部１２０側に逆流することが防止されている。
【００２１】
以上、本実施形態にかかるフィルター装置１００の構成を説明した。フィルター装置１００の使用方法としては、一般的なフィルター装置と同様である。フィルター装置１００を水槽に設置して、電源（図示せず）を入れることにより、水槽の浄化を行うことができる。なお、本実施形態で説明しなかった構成要素、例えばエアーポンプや電源などについては、ごく一般的なものを利用することができる。
【００２２】
（本実施形態の効果）
以上説明したように、本実施形態によれば、１つのフィルター装置１００を設置するだけで、従来のスポンジフィルター装置と底面フィルター装置の両方を設置したのと同様の効果を得ることができる。このようにして、水槽にフィルター装置を設置するにあたり、装置自体のコストや設置のためのコストを削減することができる。また、装置をメンテナンスする手間やそのコストを削減することができる。
【００２３】
また、スポンジフィルター部１２０と水循環部１４０とを接続する接続部１２２を備え、水循環部１４０と接続部１２２とが接続される部分において、水循環部１４０を流れる水の向きと、接続部１２２を流れる水の向きとが、鋭角をなすようにしたことで、気泡がスポンジフィルター部１２０の方へ逆流することを防止することができ、スポンジフィルター部１２０の機能を阻害しない。
【００２４】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２５】
例えば、上記実施形態では、スポンジフィルター部１２０と水循環部１４０とを接続する接続部１２２を備え、水循環部１４０と接続部１２２とが接続される部分において、水循環部１４０を流れる水の向きと、接続部１２２を流れる水の向きとが、鋭角をなす構成について説明したが、本考案はこれに限定されない。スポンジフィルター部と水循環部とを接続する部分の構成は任意でよい。
【００２６】
また、上記実施形態では、エアー流入部１１０でエアーを流入するタイプのものを例に挙げて説明したが、本考案はこれに限定されない。水を循環させる機能として、モーターで水を吸い上げるタイプのものやその他のタイプのものを使用することも可能である。
【産業上の利用可能性】
【００２７】
本考案は、水槽に設置されて水槽内の水を清浄するフィルター装置に利用可能である。
【符号の説明】
【００２８】
１００  フィルター装置
１１０  エアー流入部
１１２  エアーストーン
１２０  スポンジフィルター部
１２２  接続部
１２４  フィルター
１３０  底面フィルター部
１３２  ろ材
１４０  水循環部
【図１】
0003194426.tif 000003
【図２】
0003194426.tif 000004
【図３】
0003194426.tif 000005